(57)【要約】【課題】  観察者の観察状態に適合しやすい走査型画像観察装置を提供する。【解決手段】  画像が形成される中間像近傍に光学特性可変手段を配置する。【選択図】  図１
2006235488.tif 000002
【特許請求の範囲】
【請求項１】
光源を有し、前記光源から発光した光を走査する走査手段を有し、前記走査手段からの光を所望の被走査面上を走査するように構成する第１の光学系を有し、かつ前記光源からの光束を、映像信号にもとづいて走査手段と同期して変調することで、前記被走査面上に画像を表示させ、接眼レンズを介して観察者が前記被走査面上の画像を観察するように構成した走査型画像観察装置であって、
前記被走査面またはその近傍に光学特性可変手段を有することを特徴とする走査型画像観察装置。
【請求項２】
前記光学特性可変手段が、周期的構造を有する微細構造素子を有しその周期的構造の形状を変化させられることを特徴とした請求項１記載の走査型画像観察装置。
【請求項３】
前記微細構造素子は、入射光に対する反射角の特性を変化させることを特徴とした請求項２記載の走査型画像観察装置。
【請求項４】
前記微細構造素子は、観察者の瞳孔位置、瞳位置を検出した結果により駆動されることを特徴とした請求項１〜請求項３のいずれかに記載の走査型画像観察装置。
【発明の詳細な説明】
【技術分野】
【０００１】
本発明は、デジタルカメラ、デジタルビデオなどの電子式ビューファインダに関し、特に光源からの光束を走査手段により走査することで画像を表示する走査型画像観察装置に関するものである。
【背景技術】
【０００２】
現在、デジタルカメラ、デジタルビデオなどの電子式ビューファインダや頭部装着型表示装置には、透過型液晶素子、反射型液晶素子、有機EL素子などの2次元表示素子に画像を表示させその表示された画像を接眼光学系により拡大表示するものが多くこれまで数多く提案されてきた。
【０００３】
そのような2次元表示素子を用いることなく高精細な画像を表示する技術としては、USP5,467,104(Virtual Retinal Display)などで提案されている走査型の画像表示装置という技術がある。この技術は、光源手段から放出された光束を2次元偏向手段（2次元走査手段）により偏向（走査）し、偏向と光源の変調との同期をとることで画像を表示するものである。このような走査型画像表示装置では、2次元偏向（走査）手段の走査面の面積および走査角と光源の変調により解像度が決定されることから、高精細化しても2次元表示素子のような画素欠陥が増えるといった問題を原理的に生じることはないため注目されている。
【０００４】
特に、半導体プロセスを応用して作製された微小機械電気素子（ＭＥＭＳデバイス）を走査手段として用いると、小型でありながら高速に走査できるといったメリットがあり、有望視されている。
【０００５】
走査手段を小型にすると、走査面自体が小さくなってしまうため走査されるビームが細くなってしまう。ビームが細くなると観察者が観察するための瞳径が小さくなり観察ポイント（アイボックス）の狭い表示装置となってしまう。
【０００６】
USP5,701,132（Virtual Retinal Display With Expanded Exit Pupil ）では、走査型画像表示装置において光源からの光束が集光する被走査面上に入射NA、射出NAを変換するNA変換手段を配置することで観察者が、画像を観察できる位置を拡大できるような構成が記載されている。
【特許文献１】米国特許5,467,104号明細書
【特許文献２】米国特許5,701,132号明細書
【発明の開示】
【発明が解決しようとする課題】
【０００７】
USP5,701,132（Virtual Retinal Display With Expanded Exit Pupil ）では、ＮＡ変換手段を配置することにより、観察者の観察する位置（アイボックス）を拡大することが可能になるが、観察者の観察する状態に対応することができない。
【０００８】
USP5,467,104(Virtual Retinal Display)には、目の位置検出を行いeye-tracking systemという観察者の画像位置、焦点位置を調節するシステムを開示しているが具体的な構成が開示されていない。
【課題を解決するための手段】
【０００９】
本発明は、上記課題を解決し、観察者が観察する状況に適合可能な走査型画像観察装置を、以下の発明をもって提供する。
【００１０】
本出願にかかる第１の発明は、
光源を有し、前記光源から発光した光を走査する走査手段を有し、前記走査手段からの光を所望の被走査面上を走査するように構成する第１の光学系を有し、かつ前記光源からの光束を、映像信号にもとづいて走査手段と同期して変調することで、前記被走査面上に画像を表示させ、接眼レンズを介して観察者が前記被走査面上の画像を観察するように構成した走査型画像観察装置であって、
前記被走査面またはその近傍に前記被走査面またはその近傍に光学特性可変手段を有することを特徴とする走査型画像観察装置である。
【００１１】
本構成により解像度の劣化の少なくまた、観察者の状態で適合しやすい画像表示装置を提供することができる。
【００１２】
さらに、本出願にかかる第２の発明は、
前記光学特性可変手段が、周期的構造を有する微細構造素子を有しその周期的構造の形状を変化させられることを特徴とした走査型画像観察装置である。
【００１３】
この構成により、光学特性可変手段の駆動量を小さいまま、光学特性を大きく変えることが可能となる。
【００１４】
さらに本出願にかかる第３の発明は、
前記微細構造素子は、入射光に対する反射角の特性を変化させることを特徴とした走査型画像観察装置である。
【００１５】
本構成により、反射面の裏面側に駆動部を配置することが可能となるため光の利用効率を高めることが可能となる。さらに反射とすることにより、駆動量を小さくすることができる。
【発明の効果】
【００１６】
以上、本発明によれば、観察者の観察状態に適合しやすい走査型画像観察装置を提供することができる。
【発明を実施するための最良の形態】
【００１７】
本発明の実施例を以下に説明する。
【実施例１】
【００１８】
本発明にかかる第１の実施例を以下に説明する。
【００１９】
本実施例は、観察者が観察するためのひとみ径を制御可能な走査型画像観察光学系を示したものであり、以下にその構成・動作を説明する。
【００２０】
図１は本発明にかかる走査型観察光学系の構成概要図である。光源101から発光した光束は、色合成光学系102、集光光学系103を介して走査手段104に入射する。走査手段104中の偏向点104bで、入射した光束は光束110a,110b,110cのように偏向される。偏向された光束は、自由曲面プリズム105aと偏心レンズ105bからなる光学系を透過し、また光路分岐手段の入射面106aとハーフミラー面106cおよび光学系107bを介して被走査面108上に到達する。光源101と被走査面108は光学的に共役の関係になっており、被走査面108上には、光束110a,110b,110cに対応した光源像150a,150b,150cが形成される。走査手段104は、紙面内方向とそれに垂直な方向に偏向可能な2次元走査手段であり、被走査面108は2次元に走査される。走査手段104と光源101との同期をとることにより被走査面108上には所望の走査画像が表示される。
【００２１】
被走査面108は反射型の走査面であり、反射した光束は、光学系107bを透過しハーフミラー106cで反射し、光学系107aより射出する。光学系107a107cは、被走査面108を観察するための接眼光学系として構成されており観察者は、観察者の瞳位置109から画像を観察するようになっている。
【００２２】
走査手段104の走査面の有効大きさをＤ、観察者の観察する画角に対する走査手段104の光学振れ角の比をＭとするとき観察者の瞳位置109におけるビームの大きさｄは
ｄ=Ｄ/Ｍ・・・式（1-1）
となる。Ｄ=1.5ｍｍ、観察者の観察する水平画角24度(ｐ-ｐ)、走査光学振れ角20度(ｐ-ｐ)とすると、ｄ=1.25ｍｍとなる。
【００２３】
図２は、本発明にかかる走査手段104の構成を示したものである。不図示の光源からの光束は矢印117より反射面104bに入射する。反射面104bは、トーションバ111とトーションバ113を介して基板118に接続されている。不図示のアクチュエータによりトーションバ111,113がそれぞれねじれるように駆動されて、それに伴い反射面104bは、矢印112,114の向きに傾く。この傾斜により入射光束117の反射光117'は、矢印115,116の方向に走査される。矢印115方向には、共振により約19kHzで高速に走査され、矢印116方向には、約60Hzにてのこぎり波駆動される。光源を、この走査と同期をとって変調することにより所望の画像を表示する。
【００２４】
図３(a)は、図１に示した状態であり、被走査面108を平面反射面の状態で使用している状態を示したものである。この状態では、観察者の観察するひとみ径ｄは、式（1-1）に従うものである。図３（b）は、被走査面108の反射光の特性を光学特性可変手段により変えた場合の例を示している。図３（b）の状態では、被走査面108に入射する光束の反射光の発散角を広げるように駆動した場合を示している。
【００２５】
図４は、被走査面108における光学特性可変手段の構成を示したものである。図４は、光学特性可変手段の概略構成を示すための断面図であり、実際には、このような構造が被走査面全体に2次元的に広がっている。
【００２６】
図４(a)は、図１あるいは図３（a）に示したように光学特性可変手段を駆動しなかった場合の原理を示している。光学特性可変手段は、可動ミラー部108aと支柱108bと基板108cとからなっており、不図示の駆動部により可動ミラー部108aが駆動できるものである。図４（b）は、図３（b）に示したように光学特性可変手段を駆動した場合を示している。不図示の駆動部により、可動ミラー部108aが凹面に変形することで凹面のマイクロレンズアレイとなる。この変形により可動ミラー部108aは凹面のレンズアレイ形状となり光を回折し、入射光束120を射出光束121bのように広げて反射することができる。
【００２７】
凹面のレンズアレイの形状の変形は、例えば可動ミラー部を静電気により引力を加えることにより形状を変形させ、その引力の大きさにより凹面レンズアレイの曲率半径を制御することで回折光の分布を制御している。
【００２８】
本実施例においては、可動ミラー部の変形を静電気によるものとしたが、可動ミラー部を変形させればよく駆動方法に関しては特に限定しない。
【００２９】
本マイクロレンズアレイは、反射型としたため変化量が小さくとも回折光の分布を大きく変えることが可能である。
【００３０】
さらに可動ミラー部の裏側に駆動部を配置することが可能であるため、反射面を有効に利用することが可能である。
【００３１】
本実施例によると、光学特性可変手段を平面とした図３（a）の場合のように、観察者の観察するひとみ径が小さくなることで、観察者の目が距離調整をする必要がなくなるような状態と、観察者のひとみ径が大きく観察領域が広い状態を選択することが可能となり観察者が好む観察環境を提供することができる。
【００３２】
本実施例では、光源101として１つの光源として示したが、赤、青、緑の光源などを組み合わせ、走査手段と同期をとって制御することでフルカラーの画像を提供することができる。
【００３３】
デジタルカメラなどのファインダーとして本光学系を採用した場合、観察者がひとみ径の大きさを選択できるようにしても、カメラの設定にあわせて光学特性可変手段を駆動してひとみ径を変更してもよい。また、図５は、本実施例に、赤外光などで観察者の目を照明する照明光学系130と観察者のひとみ像を撮像するひとみ撮像光学系131を取り付けた構成を示している。照明光学系130によって観察者の目が照明され、ひとみ撮像光学系131により撮像された画像の例を図６に示す。
【００３４】
図６に観察者の目140、黒目部141、瞳孔部142、照明光の虚像（プルキンエ像）143をしめす。例えば画像処理などにより、瞳孔部142の大きさを算出して最適なひとみ径になるように光学特性可変手段を駆動してよい。
【実施例２】
【００３５】
本発明にかかる第２の実施例を以下に説明する。
【００３６】
本実施例は、観察者が観察するためのひとみの位置を制御可能な走査型画像観察光学系を示したものであり、以下にその構成・動作を説明する。
【００３７】
図７は本発明にかかる走査型観察光学系の構成概要図である。光源201から発光した光束は、色合成光学系202、集光光学系203を介して走査手段204に入射する。走査手段204中の偏向点204bで、入射した光束は光束210a,210b,210cのように偏向される。偏向された光束は、自由曲面プリズム205aと偏心レンズ205bからなる光学系を透過し、また光路分岐手段の入射面206aとハーフミラー面206cおよび光学系207bを介して被走査面108上に到達する。光源201と被走査面208は光学的に共役の関係になっており、被走査面108上には、光束210a,210b,210cに対応した光源像250a,250b,250cが形成される。走査手段204は、紙面内方向とそれに垂直な方向に偏向可能な2次元走査手段であり、被走査面208は2次元に走査される。走査手段204と光源201とを同期をとることにより被走査面208上には所望の走査画像が表示される。
【００３８】
被走査面208は反射型の走査面であり、反射した光束は、光学系207bを透過しハーフミラー206cで反射し、光学系207aより射出する。光学系207a、207bは、被走査面208を観察するための接眼光学系として構成されており観察者は、観察者の瞳位置209から画像を観察するようになっている。
【００３９】
本実施例における走査手段204は実施例１記載のものと同様の機能を有しているものであり説明は省略する。
【００４０】
図８(a)は、図７に示した状態であり、被走査面208を平面反射面の状態で使用している状態を示したものである。この状態では、観察者の観察するひとみ位置は、図８(a)に示した位置にある。図８（b）は、被走査面208の反射光の特性を光学特性可変手段により変えた場合の例を示している。図８（b）の状態では、被走査面208に入射する光束の反射光の異なった方向に反射させるように駆動した場合を示している。
【００４１】
図９は、被走査面208における光学特性可変手段の構成を示したものである。図９は、光学特性可変手段の概略構成を示すための断面図であり、実際にはこのような構造が被走査面全体に２次元的に広がっている。
【００４２】
図９(a)は、図８（a）に示したように光学特性可変手段が平面反射面として機能する場合の原理を示している。光学特性可変手段は、可動ミラー部208aと支柱208bと基板208cとからなっており、不図示の駆動部により各可動ミラー部208aが駆動され所定角度傾くことができるように構成されている。
【００４３】
図９（b）は、図８（b）に示したように光学特性可変手段を駆動した場合を示している。不図示の駆動部により、可動ミラー部208aが所定角度傾き、入射光220を所定の方向221bの方向に偏向させることが可能となっている。
【００４４】
可動ミラー部208aの駆動にあたっては、静電気力、電磁力などを利用することができる。
【００４５】
本実施例においては、可動ミラー部の変形を静電気によるものとしたが、可動ミラー部を変形させればよく駆動方法に関しては特に限定しない。
【００４６】
本実施例も、実施例１と同様に、光学特性可変手段を平面とした場合、観察者の観察するひとみ径が小さくなることで、観察者の目が距離調整（視度調整）をする必要がなくなるような状態を作ることができる。
【００４７】
しかしながらひとみ径が小さいため、観察者がその位置を探すのが困難な場合がある。
【００４８】
図７中、本実施例の走査型画像観察光学系には、赤外光などで観察者の目を照明する照明光学系230と観察者のひとみ像を撮像するひとみ撮像光学系231を取り付けられている。
【００４９】
照明光学系230によって観察者の目が照明され、ひとみ撮像光学系231により撮像された画像の例を図１０に示す。
【００５０】
図１０に、観察者の目240、黒目部241、瞳孔部242、照明光の虚像（プルキンエ像）243を示す。瞳孔部142とプルキンエ像243を画像処理により抽出し観察者のひとみ位置を算出し、その位置にひとみ位置を追従させるように光学特性可変手段を駆動させると観察しやすいディスプレイを提供することができる。
【００５１】
本実施例では、光源101として１つの光源として示したが、赤、青、緑の光源などを組み合わせ、走査手段と同期をとって制御することでフルカラーの画像を提供することができる。
【実施例３】
【００５２】
本発明にかかる第３の実施例を以下に説明する。
【００５３】
本実施例は、観察者が観察するためのひとみの位置を光軸方向に制御可能な走査型画像観察光学系を示したものであり、以下にその構成・動作を説明する。
【００５４】
図１１は本発明にかかる走査型観察光学系の構成概要図である。
【００５５】
本実施例中、301、302...のように表す符番のものは、実施例１の101、102...と同様の機能を表すものであり説明は省略する。
【００５６】
本実施例における走査手段304は実施例１記載のものと同様の機能を有しているものであり説明は省略する。
【００５７】
図１２(a)は、図１１に示した状態であり、被走査面308を平面反射面の状態で使用している状態を示したものである。この状態では、観察者の観察するひとみ位置は、図１２(a)に示した位置にある。図１２（b）は、被走査面308の反射光の特性を光学特性可変手段により変えた場合の例を示している。図１２（b）の状態では被走査面308に入射する各走査点における光束の反射光の方向を制御して図１２(a)の状態よりも離れた位置に観察者のひとみを移動した場合である。
【００５８】
図１３は、被走査面308における光学特性可変手段の構成を示したものである。図１３(a)に示したように可動反射ミラー308aが、支柱308bを介して基板308cに接続されている。
【００５９】
本実施例では、不図示の駆動手段により支柱308bの長さが、図１３（b）に示したように変化させ、可動ミラー308aの全体的な曲率を変化させることができる。
【００６０】
この結果、入射光330の反射光束321bの方向が変わり図１２(b)のようにひとみ位置309を変化させることが可能である。
【００６１】
図１４は、被走査面308の光学特性可変手段の別様態を示したものである。図１４(a)に示すように可動ミラー308aが分離された構造をもっている構造であり、不図示の駆動手段によって可動ミラー308aの各傾きを制御できるような構成となっている。図１４に示した構造は、図13の構造をフレネルレンズと同様にした構成である。
【００６２】
図１３、図１４は、光学特性可変手段の概略構成を示すための断面図であり、実際にはこのような構造が被走査面全体に2次元的に広がっている。
【００６３】
図１４は、図１２（a）に示したように光学特性可変手段が平面反射面として機能する場合の原理を示している。光学特性可変手段は、可動ミラー部208aと支柱208bと基板208cとからなっており、不図示の駆動部により各可動ミラー部208aが駆動され所定角度傾くことができるように構成されている。
【００６４】
図１４（b）は、図１２（b）に示したように光学特性可変手段を駆動した場合を示している。不図示の駆動部により、可動ミラー部208aが所定角度傾き、入射光220を所定の方向221bの方向に偏向させることが可能となっている。
【００６５】
可動ミラー部208aの駆動にあたっては、静電気力、電磁力などを利用することができる。
【００６６】
本実施例においては、可動ミラー部の変形を静電気によるものとしたが、可動ミラー部を変形させればよく駆動方法に関しては特に限定しない。
【００６７】
本実施例も、実施例１と同様に、光学特性可変手段を平面とした場合、観察者の観察するひとみ径が小さくなることで、観察者の目が距離調整をする必要がなくなるような状態を作ることができる。
【実施例４】
【００６８】
本発明にかかる第４の実施例を以下に説明する。
【００６９】
本実施例は、観察者が観察するためのひとみ径を制御可能な走査型画像観察光学系を示したものであり、以下にその構成・動作を説明する。
【００７０】
図１５は本発明にかかる走査型観察光学系の構成概要図である。光源401から発光した光束は、集光光学系403を介して走査手段404に入射する。走査手段404中の偏向点404bで、入射した光束は光束410a,410b,410cのように偏向される。偏向された光束は、走査光学系405を透過し、被走査面408上に到達する。光源401と被走査面408は光学的に共役の関係になっており、被走査面408上には、光束410a,410b,410cに対応した光源像450a,450b,450cが形成される。走査手段404は、紙面内方向とそれに垂直な方向に偏向可能な2次元走査手段であり、被走査面408は2次元に走査される。走査手段404と光源401との同期をとることにより被走査面408上には所望の走査画像が表示される。
【００７１】
本実施例における被走査面408は透過型の走査面であり、透過した光束は接眼光学系407より射出する。接眼光学系407は、観察者が被走査面408に表示された画像を観察するための接眼光学系として構成されており観察者は、観察者の瞳位置409から画像を観察するようになっている。
【００７２】
走査手段404の走査面の有効大きさをＤ、観察者の観察する画角に対する走査手段404の光学振れ角の比をＭとするとき観察者の瞳位置409におけるビームの大きさｄは
ｄ=Ｄ/Ｍ・・・式（4-1）
となる。Ｄ=1.5ｍｍ、観察者の観察する水平画角24度(ｐ-ｐ)、走査光学振れ角20度(ｐ-ｐ)とすると、ｄ=1.25ｍｍとなる。
【００７３】
本実施例において走査手段404は、実施例１と同様の構成であり説明は省略する。
【００７４】
図１５(a)は、被走査面408を平面透過面の状態で使用している状態を示したものである。この状態では、観察者の観察するひとみ径ｄは、式（4-1）に従うものである。図１５（b）は、被走査面408の透過特性を光学特性可変手段により変えた場合の例を示している。図１５（b）の状態では、被走査面408に入射する光束の反射光の発散角を広げるように駆動した場合を示している。
【００７５】
図１６は、被走査面408における光学特性可変手段の構成を示したものである。図１６は、光学特性可変手段の概略構成を示すための断面図であり、実際には、このような構造が被走査面全体に2次元的に広がっている。
【００７６】
図１６(a)は、光学特性可変手段を駆動しなかった場合の原理を示している。光学特性可変手段は、変形透過部408aと支柱408bと固定透過部408cとからなっている。変形透過部408aと固定透過部408cは光学的に透明な材料で構成されその間の空間が光学的に透明な液体材料で満たされている。
【００７７】
不図示の駆動部により変形透過部408aと固定透過部408cの間隔が短くすると変形透過部408aが変形して図１６（b）に示した構成になる。この状態では、光学特性可動手段は、マイクロレンズアレイの機能を果たし、入射光530を射出光光束531のように拡散する。
【００７８】
マイクロレンズアレイの形状は、変形透過部408aと固定透過部408bの間隔を制御することで可変できその結果マイクロレンズアレイの特性を制御することが可能である。
【００７９】
この結果、観察者のひとみ径を制御することができる。
【００８０】
本実施例では、光源401として１つの光源として示したが、赤、青、緑の光源などを組み合わせ、走査手段と同期をとって制御することでフルカラーの画像を提供することができる。また、アレイ光源としてもよい。
【００８１】
デジタルカメラなどのファインダーとして本光学系を採用した場合、観察者がひとみ径の大きさを選択できるようにしても、カメラの設定にあわせて光学特性可変手段を駆動してひとみ径を変更してもよい。また、図１５に、赤外光などで観察者の目を照明する照明光学系430と観察者のひとみ像を撮像するひとみ撮像光学系431を取り付けた構成を示している。照明光学系130によって観察者の目が照明され、光路分岐手段432により観察者に視認されない光路でひとみ撮像光学系431により観察者の目を撮像することができる機能を付け加えてもよい。画像から観察者の目の状況を算出して、ひとみ径を制御するなども可能である。
【実施例５】
【００８２】
本発明にかかる第5の実施例を以下に説明する。
【００８３】
本実施例は、観察者が観察するためのひとみ径を制御可能な走査型画像観察光学系を示したものであり、以下にその構成・動作を説明する。
【００８４】
図１７は本発明にかかる走査型観察光学系の構成概要図である。光源501から発光した光束は、集光光学系503を介して走査手段504に入射する。走査手段504中の偏向点504bで、入射した光束は光束510a,510b,510cのように偏向される。偏向された光束は、自由曲面ミラー505aと自由曲面ハーフミラー505bからなる走査光学系505により、被走査面508上に到達する。光源501と被走査面508は光学的に共役の関係になっており、被走査面508上には、光束510a,510b,510cに対応した光源像550a,550b,550cが形成される。走査手段504は、紙面内方向とそれに垂直な方向に偏向可能な2次元走査手段であり、被走査面508は2次元に走査される。走査手段504と光源501とを同期をとることにより被走査面508上には所望の走査画像が表示される。
【００８５】
本実施例における被走査面508は反射型の被走査面であり、反射した光束は、自由曲面ハーフミラー505bを透過して接眼光学系507より射出する。接眼光学系507は、観察者が被走査面508に表示された画像を観察するための接眼光学系として構成されており観察者は、観察者の瞳位置509から画像を観察するようになっている。
【００８６】
被走査面508の構成は、実施例１と同様の構成となっており、光学特性可変手段により光量の反射特性を制御することが可能でありその結果として、図１８(a)、図１８（b）に示したように光学系のひとみ径を制御することが可能である。
【００８７】
本実施例では、光源501として１つの光源として示したが、赤、青、緑の光源などを組み合わせ、走査手段と同期をとって制御することでフルカラーの画像を提供することができる。また、アレイ光源としてもよい。
【００８８】
デジタルカメラなどのファインダーとして本光学系を採用した場合、観察者がひとみ径の大きさを選択できるようにしても、カメラの設定にあわせて光学特性可変手段を駆動してひとみ径を変更してもよい。
【００８９】
また、観察者のひとみを観察できる装置をつけ、観察者のひとみ状態をモニタすることで観察者に最適なひとみ径に制御してもよい。
【図面の簡単な説明】
【００９０】
【図１】本発明にかかる第1実施例の概要説明図。
【図２】本実施例にかかる走査手段の説明図。
【図３】本発明にかかる第1実施例の機能説明図。
【図４】本発明にかかる光学特性可変手段の機能を説明するための図。
【図５】本発明にかかる第1実施例の別様態の概要説明図。
【図６】本発明にかかる第1実施例におけるひとみ画像。
【図７】本発明にかかる第2実施例の概要説明図。
【図８】本発明にかかる第２実施例の機能説明図。
【図９】本発明にかかる光学特性可変手段の機能を説明するための図。
【図１０】本発明にかかる第2実施例におけるひとみ画像。
【図１１】本発明にかかる第3実施例の概要説明図。
【図１２】本発明にかかる第3実施例の機能説明図。
【図１３】本発明にかかる光学特性可変手段の機能を説明するための図。
【図１４】本発明にかかる光学特性可変手段の別様態。
【図１５】本発明にかかる第4実施例の概要説明図。
【図１６】本発明にかかる光学特性可変手段の機能を説明するための図。
【図１７】本発明にかかる第5実施例の概要説明図。
【図１８】本発明にかかる第5実施例の概要説明図。
【符号の説明】
【００９１】
101、201、301、401、501  光源
102、202、302  色合成光学系
103、203、303、403、503  集光光学系、光源光学系
104、204、304、404、504  走査手段
105、205、305、405、505  走査光学系
106、206、306  光路分岐手段
107、207、307、407、507  接眼光学系
108、208、308、408、508  被走査面（光学特性可変手段）
109、209、309、409、509  ひとみ位置
110、210、310、410、510  走査光束
111、113  トーションバ
114、112  偏向方向
115、116  走査方向
117  入射光束
118  基板
130、230、430  照明光学系
131、231、431  ひとみ撮像光学系
432  光路分岐手段
140、240  ひとみ
141、241  黒目
142、242  瞳孔
143、243  プルキンエ像
【図１】
2006235488.tif 000003
【図２】
2006235488.tif 000004
【図３】
2006235488.tif 000005
【図４】
2006235488.tif 000006
【図５】
2006235488.tif 000007
【図６】
2006235488.tif 000008
【図７】
2006235488.tif 000009
【図８】
2006235488.tif 000010
【図９】
2006235488.tif 000011
【図１０】
2006235488.tif 000012
【図１１】
2006235488.tif 000013
【図１２】
2006235488.tif 000014
【図１３】
2006235488.tif 000015
【図１４】
2006235488.tif 000016
【図１５】
2006235488.tif 000017
【図１６】
2006235488.tif 000018
【図１７】
2006235488.tif 000019
【図１８】
2006235488.tif 000020